(57)【要約】【課題】自在戸のように戸当たりを取り付けられないドアであっても、光や音等の遮蔽性を高めたスイング式ドアを提供する。【解決手段】建物の開口部を形成する枠体に設ける開閉用の扉体を備えたスイング式ドアにおいて、上記扉体は、横断面が円弧状に形成され該円弧の中心を回転中心として回転する回転体と、該回転体に固設されたドアパネルとを備え、上記回転体に対向する上記枠体の縦枠は、上記円弧状の回転体を回転自在に嵌合可能な凹陥部を備える。【選択図】  図２
2008014002.tif 000002
【特許請求の範囲】
【請求項１】
建物の開口部を形成する枠体に設ける開閉用の扉体を備えたスイング式ドアにおいて、上記扉体は、横断面が円弧状に形成され該円弧の中心を回転中心として回転する回転体と、該回転体に固設されたドアパネルとを備え、上記回転体に対向する上記枠体の縦枠は、上記円弧状の回転体を回転自在に嵌合可能な凹陥部を備えることを特徴とするスイング式ドア。
【発明の詳細な説明】
【技術分野】
【０００１】
本発明は、パネル体の一方の縦框を回転体として開閉するスイング式ドアに関する。
【背景技術】
【０００２】
内外どちら側にも開く自在戸は、室内側からでも、室外側からでもドアパネルを押す動作によって開くことができる。したがって、ドアパネルを引く動作は不要であり、両手が荷物で塞がっている場合でも、体をドアパネルに預けるだけで、ドアを開くことができ、誠に都合がよい。またこれは、車椅子での移動を余儀なくされる身体障害者にとっても好都合である。
【０００３】
このような自在戸にあっては、通常の片開き戸や両開き戸のように、ドアの三方枠に沿ってドアが開く方と反対側に、ドアを閉じる際にドアパネルが反対側へ行き過ぎることを防止する戸当りを設けることができないので、縦框と縦枠、及び横框と横枠との間にどうしても隙間が生じる。そして、その隙間から、光や音、また屋外に面するドアでは、風雨が漏れる等遮蔽性上難点がある。
【０００４】
この問題を解決するものとして、ドアパネルの板厚方向の中心点を通る中心軸上の位置に回転中心位置を合わせて、内外どちら側にも開くように構成した折り戸であるが、縦枠／縦框のいずれかに、モヘヤ、ゴム、ビート（合成ゴム）などの弾力性を有する部材で成る隙間封止材を取り付けて、この隙間を塞ごうとするものがある（例えば、特許文献１参照。）。しかしながら、このような隙間封止部材を取り付けてもその遮蔽性は万全とはいえない。
【０００５】
他方、開き戸を閉じる際に、縦枠と縦框との間に指を挟む事故が多発している。特に、横断面が細長い直方体のドアパネルを、同じく横断面が直方体の縦枠に、丁番を用いて軸支する通常の開き戸では指を挟み易く、また重大事故に繋がる虞も高い。
【０００６】
これに対し、前掲の特許文献１に開示された折り戸では、ドアパネルの端部は円弧状に形成され、ドアパネルの板厚方向の中心点を通る中心軸上の位置に回転中心位置を合わせているので、ドア開時においても大きな隙間が生じることがなく、指を挟み難い構造になっている。それでもしかし、その狭い隙間に指を挟む可能性は皆無とはいえない。
【特許文献１】特開平９−２７３３５０号公報
【発明の開示】
【発明が解決しようとする課題】
【０００７】
本発明は、上述した事情を考慮してなされたもので、自在戸のように戸当たりを取り付けられないドアであっても、光や音等の遮蔽性を高めたスイング式ドアを提供することを目的とするものである。
【０００８】
本発明の他の目的は、ドアを閉める際に縦枠と吊元側縦框との間に指を挟むことのないスイング式ドアを提供することにある。
【課題を解決するための手段】
【０００９】
本発明に係るスイング式ドアは、上述した課題を解決するために、請求項１に記載したように、建物の開口部を形成する枠体に設ける開閉用の扉体を備えたスイング式ドアにおいて、上記扉体は、横断面が円弧状に形成され該円弧の中心を回転中心として回転する回転体と、該回転体に固設されたドアパネルとを備え、上記回転体に対向する上記枠体の縦枠は、上記円弧状の回転体を回転自在に嵌合可能な凹陥部を備えるものである。
【発明の効果】
【００１０】
本発明に係るによれば、自在戸のように戸当たりを取り付けられないドアであっても、光や音等の遮蔽性を高めることができる。また、本発明は、ドアを閉める際に縦枠と吊元側縦框との間に指を挟むことがないという効果が得られる。
【発明を実施するための最良の形態】
【００１１】
本発明に係るスイング式ドアの実施の形態について、添付図面を参照して説明する。図１は、本発明に係るスイング式ドアの第１の実施形態の全体的な概要を示す正面図であり、図２は、同図に示されたスイング式ドアの、（ａ）は閉時における部分断面図、（ｂ）は開時における部分断面図である。
【００１２】
この実施形態にかかるスイング式ドア１は、１枚の扉体を使用し、この扉体を内外どちら側にも開くことができる自在戸として形成される。
【００１３】
図１に示すように、３方枠体２および床面５により部屋の出入り口を成す開口部ＯＰが画成される。３方枠体２は、上枠３と、その両側の縦枠４，４とが一体に形成されて成る。３方枠体２の内側に、本実施形態に係るスイング式ドアが取り付けられる。
【００１４】
このスイング式ドア１において、扉体６は、横断面が円弧状に形成されその円弧の中心を回転中心として回転する回転体９と、この回転体９に取付金具１１を介して固設されたドアパネル１０とから形成される。
【００１５】
この内、ドアパネル１０は開口部ＯＰを開閉する開閉体の主要部を成すもので、その幅方向の長さは開閉に十分なサイズに設定されている。ドアパネル１０の材質は本実施形態では木材で形成されている。
【００１６】
回転体９の材質は、ここではドアパネル１０を支持するに十分な剛性を得るため金属で形成しているが、必ずしもこれに限定されない。
【００１７】
図１において、上枠３の、扉体６の吊元側端部内に、上部ピボット７が固設される一方、この上部ピボット７の真下の対向する床面５上に下部ピボット８が埋設される。上部ピボット７はピボット構造に構成され、その軸が回転体９の上端面の軸受けに脱着自在に連結される。
【００１８】
この回転体９の上端面には、取付金具１１を介してドアパネル３１がネジ止めされている。一方、回転体９の下端面には取付金具１１を介してドアパネル１０がネジ止めされている。この回転体９の下端面の軸受けは下部ピボット１６の軸に脱着自在に取り付けられる。このように、ドアパネル１０は、上下の取付金具１１，１１に挟持されて固定される。
【００１９】
他方、扉体６の吊元側の縦枠４は、その上端から下端に亘り、図２に示すように、円弧状の回転体９を回転自在に嵌合可能な凹陥部４ａが形成される。この凹陥部４ａにはさらに凹溝４ｂがやはり上端から下端に亘って設けられる。そして、この凹溝４ｂには、隙間封止材（ゴム、モヘヤなど）１２が取り付けられる。
【００２０】
本実施形態に係るスイング式ドア１は、上記のように構成されているので、図２（ａ）に示すドア開時であっても、或いは図２（ｂ）に示すドア閉時であっても、室内側の光が縦枠４と回転体６との隙間から光りが漏れることはなく、遮蔽性が高められる。また、縦枠が直方体状の場合に比べて縦枠４と回転体６との隙間が非常に小さくなるので、ここに指を挟む虞も殆どない。さらに隙間封止材１２を設けることで、音等に対する遮蔽性も向上する。
【００２１】
なお、扉体６の回転体９とドアパネル１０との接続部には、切欠部６ａが設けられているので、ドア開時においても、縦枠４のコーナー部分と扉体６とが干渉することなく、扉体６を９０°まで全開することができる。
【００２２】
次に、本発明に係るスイング式ドアの第２の実施形態について、図３を参照して説明する。図３は、本発明に係るスイング式ドアの第２の実施形態の、（ａ）は閉時における部分断面図、（ｂ）は開時における部分断面図である。
【００２３】
連結部材１３は扉対６の上端から下端までの全長に亘る長さを有し、回転体９から延出する２本の延出部９ａ，９ａ間に、ドアパネル１０が固定された連結部材１３が挟装されて回転体６に固定される。
【００２４】
これにより、アルミ製や木製の中空フラッシュドアにおいても、第１の実施形態に係るスイング式ドアと同等の効果を得ることができる。
【００２５】
続いて、本発明に係るスイング式ドアの第３の実施形態について、図４を参照して説明する。図４は、本発明に係るスイング式ドアの第２の実施形態の、（ａ）は閉時における部分断面図、（ｂ）は開時における部分断面図である。
【００２６】
本実施形態のスイング式ドアは、同図に示すように、ドアパネル１０が框戸である点で、第１の実施形態におけるものと基本的に相違し、他の構成は第１の実施形態と実質的に同じであり、同じ符号を付して説明を省略する。
【００２７】
同図中、１０ａは縦框、１０ｂはガラスである。１０ｂはガラスに代えて剛性樹脂や木のパネルであってもよい。この場合、縦框１０ａは回転体９と一体に形成される。ガラス１０ｂは、フラッシュ戸等に比べて薄いので、框部をガラスを保持するのに必要な幅を確保すれば、第１の実施形態の場合のような切欠部６ａを設けなくても、ドア開時において縦枠４のコーナー部分と扉体６とが干渉することはない。
【００２８】
このように、本実施形態に係るスイング式ドアによれば、ガラス戸等の框戸においても、第１の実施形態に係るスイング式ドアと同等の効果を得ることができる。
【００２９】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００３０】
例えば、上述した実施形態では、いずれも片開きの自在戸を例にとって説明したが、本発明に係るスイング式ドアは、自在戸に限らず、両開き戸や折り戸の場合であっても採用することができる。
【図面の簡単な説明】
【００３１】
【図１】本発明に係るスイング式ドアの第１の実施形態の概要を示す正面図。
【図２】図１に示されたスイング式ドアの、（ａ）は閉時における部分断面図、（ｂ）は開時における部分断面図。
【図３】本発明に係るスイング式ドアの第２の実施形態の、（ａ）は閉時における部分断面図、（ｂ）は開時における部分断面図。
【図４】本発明に係るスイング式ドアの第３の実施形態の、（ａ）は閉時における部分断面図、（ｂ）は開時における部分断面図。
【符号の説明】
【００３２】
１，１Ａ，１Ｂ  スイング式ドア
２  ３方枠体
３  上枠
４  縦枠
４ａ  凹陥部
４ｂ  凹溝
５  床面
６  扉体
６ａ  切欠部
７  上部ピボット
８  下部ピボット
９  回転体
９ａ  延出部
１０  ドアパネル
１０ａ  縦框
１０ｂ  ガラス
１１  取付金具
１２  隙間封止材
１３  連結部材
ＯＰ  開口
【図１】
2008014002.tif 000003
【図２】
2008014002.tif 000004
【図３】
2008014002.tif 000005
【図４】
2008014002.tif 000006